(57)【要約】      （修正有）【課題】盗難防止に優れた財布等の高額商品を商店にて陳列する陳列具を提供する。【解決手段】前板１、底板２、後板３がそれぞれ連接して側面略凹字状の商品収納部４を形成する。前記前板１の上先端は前方連接部５を兼ねる。前記後板３の下端には断面逆Ｕ字状である後方連接部６が形成される。該後方連接部６の隙間は前記前方連接部５の厚みとほぼ同等の幅を有する。そして、先端に勘合部７を有するプラスチック製の紐状で、該勘合部を介して環状に形成可能な連結具８を、前記収納部の所定の側端部に設けた穴９を介して取り付ける。使用する場合は、まず前記連結具８を財布などの商品開封部分のつまみなど商品の一部に収納部の穴９とともに環状に通し一体化する。この状態で各商品収納部に載置する。【選択図】図１
0003153481.tif 000002
【実用新案登録請求の範囲】
【請求項１】
財布等の商品を載置する商品収納部の前方および後方に連接部を有し、かつ前記商品に取り付け可能な留め具を一端に備えた連結具の他端を前記各商品収納部に連結する陳列具であり、該陳列具は前記連接部を介して前方、および後方に連接可能であることを特徴とする陳列具。
【請求項２】
前記商品収納部が前板と底板と後板とから成る側面略凹字状であり、前記前板に連接部を有し、かつ前記後板に連接部を有することを特徴とする請求項１記載の陳列具。
【請求項３】
前記陳列具の前後方向の連接部は、一方が板状体であり、他方が該板状体と同程度の幅である隙間を有する断面逆Ｕ字状体であることを特徴とする請求項１又は２記載の陳列具。
【請求項４】
前記連結具がプラスチック製で、かつ先端同士を勘合することで環状体になる紐状物であることを特徴とする請求項１乃至３の何れかに記載の陳列具。
【考案の詳細な説明】
【技術分野】
【０００１】  本考案は財布等の高額商品を商店にて陳列する陳列具に関するものであり、盗難防止に優れたものである。
【背景技術】
【０００２】  財布等の商品はその性質から、消費者に直接手に取ってもらい質感を確認してもらったり、使い買ってを確認してもらうことは重要な販促要素である。従って、販売店の店頭に追いて消費者に手に取ってもらうために効果的な展示を行うことも重要であることから専用の陳列具を用意して商品を陳列することが一般的に行われている。
【先行技術文献】
【特許文献】
【０００３】
【特許文献１】実用新案登録第３１２５４１６号
【考案の概要】
【考案が解決しようとする課題】
【０００４】  財布等は展示が必要ではあるが、商品が高額なため盗難という問題も抱えている。従来の陳列具は一つの商品に一つの陳列具を設けており、大きさも財布と同等程度のものであり、例え商品と陳列具が紐等で連結されていたとしても商品とともに陳列具ごと盗難されてしまうという問題があった。
さらに、本考案者は商品収納部を複数設け、商品に対して大型とすることで、盗難防止効果を持たせた陳列具を考案したが、商品展示スペースの大きさや、展示したい商品の数に応じて商品収納部の個数を自由に設定することはできなかった。
また、商品と陳列具とを一体にする連結具が金属製のチェーン等であると、商品と連結具が擦れて商品を傷付けるという問題も生じていた。
そこで、本考案は消費者に商品を手に取ってもらう展示方式を採用しながらも、盗難防止効果も同時に備え、かつ商品の展示スペースの大きさや、展示したい商品の個数に応じて販売者が自由に商品収納部の個数を調整することができ、さらに商品を展示中に傷つけることを防止する陳列具を提供することを課題とする。
【課題を解決するための手段】
【０００５】  本考案は、財布等の商品を載置する商品収納部の前方および後方に連接部を有し、かつ前記商品に取り付け可能な留め具を一端に備えた連結具の他端を前記各商品収納部に連結する陳列具であり、該陳列具は前記連接部を介して前方、および後方に連接可能であることを特徴とする陳列具である。【０００６】  前記商品収納部が前板と底板と後板とから成る側面略凹字状であり、前記前板に連接部を有し、かつ前記後板に連接部を有する陳列具である。【０００７】  前記陳列具の前後方向の連接部は、一方が板状体であり、他方が該板状体と同程度の幅である隙間を有する断面逆Ｕ字状体である陳列具である。【０００８】  前記連結具がプラスチック製で、かつ先端同士を勘合することで環状体になる紐状物である陳列具である。
【考案の効果】
【０００９】  本考案の請求項１に係わる陳列具は、各商品収納部を１つでも使用することができるし、複数個を連接することもできるため、商品を展示するスペース、商品の個数によって販売者が自由に設定することができる。商品収納部と各商品とを連結具により一体としたために、１つの商品を盗難しようとしても陳列具全体を取り上げざる終えなくなり、１つの商品に対して陳列具全体の大きさが相当大きくなるため、その取り扱いが煩雑となり、また、隠し場所、収納場所にも困るため、結果として盗難を困難なものとする。また、以上のことは盗難しようとする人に対して目で見て直感的に判断できるために盗難に対する抑止力も働く。さらに、このような盗難防止効果を持ちながらも陳列具としての形態は店頭において優れたディスプレイ効果を得ることができる。【００１０】  本考案の請求項２に係わる陳列具は、請求項１の効果に加え、陳列具をごく簡易な構造で製造できるため価格を安くすることができ、かつシンプルで高いディスプレイ効果を有する。【００１１】  本考案の請求項３に係わる陳列具は、請求項１、または２の効果に加え、陳列具の連接部をごく簡易な構造で製造できるため価格を安くすることができ、かつ簡単に連接、解除を行うことができる。【００１２】  本考案の請求項４に係わる陳列具は、請求項１乃至３の何れかの効果に加え、連結具をプラスチック製の紐状物とすることで、消費者は商品を陳列具から持ち上げ、近くで機能等を確認することができる、かつ連結具が商品に擦れて傷つけてしまうことを防止する効果を有する。
【図面の簡単な説明】
【００１３】
【図１】本考案の実施例に係わる側面図
【図２】本考案の実施例に係わる連接状態を示す側面図
【考案を実施するための形態】
【００１４】  以下、図面を参照して、本考案の実施の形態を説明する。
【００１５】  図１は本考案陳列具の斜視図であり、図２は同側面図である。前板１、底板２、後板３がそれぞれ連接して側面略凹字状の商品収納部４を形成する。前記前板１の上先端は前方連接部５を兼ねる。前記後板３の下端には断面逆Ｕ字状である後方連接部６が形成される。該後方連接部６の隙間は前記前方連接部５の厚みとほぼ同等の幅を有する。
【００１６】  そして、先端に勘合部７を有するプラスチック製の紐状で、該勘合部を介して環状に形成可能な連結具８を、前記収納部の所定の側端部に設けた穴９を介して取り付ける。
【００１７】  本考案陳列具を使用する場合は、まず前記連結具８を財布１０と一体となった部材である開封部分のつまみ１１に収納部の穴９とともに環状に通し一体化する。この状態で各商品収納部に載置する。
【００１８】  陳列具を複数個連接する場合は、陳列具を複数個用意し、前方に位置させる陳列具の後方連接部６を、後方に位置させる陳列具の前方連接部５に勘合させることで行う。この連接は前後方向に何個でも可能である。
【００１９】  消費者は目的の商品を手に取り、連結具の長さ分だけ手元に引き寄せ、機能等を確認することができる。仮に、盗難しようとする場合は商品を盗難すれば陳列具自体も動いてしまい、しかも陳列具は商品に比べて大きいため、これを隠して持ち歩くことは困難となる。
【００２０】  以上、本考案の１実施形態を説明したが、本考案はさまざまな形態を取る事が可能である。商品収納部の形状は上記実施例においては商品を傾けた状態で展示することを考慮して後板を後方に傾斜させているが、直立状態での展示を考慮する場合は後板を垂直に設ける等自由に設計できる。また、商品収納部の左右にも板を設け、商品収納部を箱状物とすることもできる。
【００２１】  陳列具の連接部は、前方の陳列具の後方連接部と後方の陳列具の前方連接部とが勘合、契合、接合等の手段により連接できる構造であれば何れの構造をも採用することができる。連接を簡易に行うためには接着剤のような別部材、材料をしない構造であれば良い。
【００２２】  前記連結具は、連結具を取り付ける商品の部材も、商品に一体的に取り付けられた金具でも良いし、商品に付けた値札に取り付けることもできるし、あるいは値札を取り付ける紐状物に取り付けることもできる。
【符号の説明】
【００２３】１  前板
２  底板
３  後板
４  商品収納部
５、６  連接部
８  連結具
【図１】
0003153481.tif 000003
【図２】
0003153481.tif 000004